(57)【要約】 【課題】投射したショットが鋼板上に残留したりすることのない鋼板のショットブラスト方法およびその設備を提供する。【解決手段】投射されたショットが上面に残留しないように投射されたショットが上面から滑降するように鋼板を水平面に対して所要角度傾斜させた状態で搬送しながら、鋼板上面にショットを投射するか、または、鋼板上面に圧縮空気を噴射して鋼板上のショットを吹き落としながら鋼板上面にショットを投射することを特徴する。【選択図】 図２
2011079121.tif 000002
【特許請求の範囲】
【請求項１】
鋼板をショットブラストする方法であって、
投射されたショットが上面から滑降するように鋼板を水平面に対して所要角度傾斜させた状態で搬送しながら、鋼板上面にショットを投射することを特徴とする鋼板のショットブラスト方法。
【請求項２】
鋼板をショットブラストする方法であって、
鋼板上面に圧縮空気を噴射して鋼板上のショットを吹き落としながら鋼板上面にショットを投射することを特徴とする鋼板のショットブラスト方法。
【請求項３】
鋼板をショットブラストする設備であって、
投射されるショットの飛散を防ぎかつ相対向する側壁に鋼板搬出口・鋼板搬入口をそれぞれ設けたキャビネットと、
このキャビネット内に配設させて鋼板を前記鋼板搬入口から前記鋼板搬出口に搬送する搬送装置と、
前記キャビネットの前記鋼板搬入口側に隣接して配設されかつ自転式のローラを備えて鋼板を前記搬送装置に搬入する第１ローラコンベヤと、
前記キャビネットの前記鋼板搬出口側に隣接して配設されかつ自転式のローラを備えて鋼板を前記搬送装置から搬出する第２ローラコンベヤと、
前記キャビネットの天井壁に装着されてキャビネット内の鋼板に向けてショットを投射するショット投射装置と、
このショット投射装置にショットを供給するとともに投射されたショットを前記キャビネットから回収してショットを循環させるショット循環装置と、
を備え、
前記搬送装置および前記第２ローラコンベヤは、鋼板を水平面に対して所要角度傾斜させた状態で搬送して投射されたショットが上面から滑降可能なように、搬送面が水平面に対して２０〜６０度の角度で傾斜していることを特徴とする鋼板のショットブラスト設備。
【請求項４】
鋼板をショットブラストする設備であって、
鋼板にショットが投射されるととともにショットの飛散を防ぎかつ相対向する側壁にそれぞれ鋼板搬出口および鋼板搬入口を設けたキャビネットと、
このキャビネット内に配設させかつ自転式のローラを備えて鋼板を前記鋼板搬入口から前記鋼板搬出口に搬送するローラコンベヤと、
前記キャビネットの天井壁および底壁にそれぞれ装着されて前記ローラコンベヤ上の鋼板に向けてショットを投射するショット投射装置と、
これらのショット投射装置にショットをそれぞれ供給するとともに前記キャビネットからショットを回収してショットを循環させるショット循環装置と、
前記キャビネットにこれの内部に連通して装着されて鋼板上に乗ったショットを吹き落とす圧縮空気を発生させるブロアと、
を備えたことを特徴とする鋼板のショットブラスト設備。
【請求項５】
請求項３または４に記載の鋼板のショットブラスト設備において、
前記キャビネットは、
キャビネットの左・右側壁の各外面に、前記鋼板搬出口および前記鋼板搬入口からのショットの飛散を防止するゴム暖簾式のシール機構がそれぞれ装着してあることを特徴とする鋼板のショットブラスト設備。
【請求項６】
請求項３、４または５に記載の鋼板のショットブラスト設備において、
前記ショット循環装置は、
キャビネットの下端部に装着されたシュートと、
このシュートの排出口がその供給口に連通して立設されたバケットエレベータと、
このバケットエレベータの搬出口に連通して装着されてショットと不純物とを分離するセパレータと、
このセパレータのショット排出口に装着されてショットを一時貯留するホッパと、
このホッパの排出口をゲートを介在して前記ショット投射装置に接続して前記ホッパのショットを導入する導入管と、
前記バケットエレベータと前記セパレータに連接されてこれらの装置内で発生した粉塵を回収する集塵機と、
を含むことを特徴とする鋼板のショットブラスト設備。
【発明の詳細な説明】
【技術分野】
【０００１】
本発明は、鋼板のショットブラスト方法およびその設備に関する。
【背景技術】
【０００２】
従来、この種のショットブラスト設備の一つとして、鋼材の走行手段と、複数枚の翼でスチールショットを保持し、該スチールショットを該走行中の鋼材表面に投射する回転翼と、該回転翼へスチールショットを載せるショット供給手段とを備えたものがある。  
【先行技術文献】
【特許文献】
【０００３】
【特許文献１】特開平９−１５５４３５号特許公報    図４
【発明の概要】
【発明が解決しようとする課題】
【０００４】
しかし、このように構成された従来のショットブラスト設備では、投射したショットが鋼板上に残留してショットの鋼板上への衝突を邪魔し、ショットブラスト処理の効率を低下させるなどの問題があった。
【０００５】
本発明は上記の事情に鑑みてなされたもので、その目的は、投射したショットが鋼板上に残留したりすることのない鋼板のショットブラスト方法およびその設備を提供することにある。
【課題を解決するための手段】
【０００６】
上記の目的を達成するために請求項１の発明における鋼板のショットブラスト方法は、鋼板をショットブラストする方法であって、投射されたショットが上面から滑降するように鋼板を水平面に対して所要角度傾斜させた状態で移送しながら、鋼板上面にショットを投射することを特徴とする。
【０００７】
また、請求項２の発明における鋼板のショットブラスト方法は、鋼板をショットブラストする方法であって、鋼板上面に圧縮空気を噴射して鋼板上のショットを吹き落としながら鋼板上面にショットを投射することを特徴とする。
【発明の効果】
【０００８】
本発明は、投射されたショットが上面から滑降するように鋼板を水平面に対して所要角度傾斜させた状態で搬送しながら、鋼板上面にショットを投射するか、または、鋼板上面に圧縮空気を噴射して鋼板上のショットを吹き落としながら鋼板上面にショットを投射するから、ショットブラスト処理の効率の低下を未然に防ぐことが可能になるなどの優れた実用的効果を奏する。  
【図面の簡単な説明】
【０００９】
【図１】本発明を適用したショットブラスト設備の第１実施例を示す正面図である。
【図２】図１に示すショットブラスト設備の左側面図である。
【図３】図１に示すショットブラスト設備の平面図である。
【図４】本発明を適用したショットブラスト設備の第２実施例を示す正面図である。
【図５】図４に示すショットブラスト設備の右側面図である。
【発明を実施するための形態】
【００１０】
実施例１
【００１１】
以下、本発明を適用したショットブラスト設備の第１実施例について図１〜図３に基づき詳細に説明する。本ショットブラスト設備は、図示するように、投射されるショットの飛散を防ぎかつ右・左側壁にそれぞれ鋼板搬入口および鋼板搬出口を設けたキャビネット１と、キャビネット１内に配設させて鋼板Ｗを鋼板搬入口から鋼板搬出口に搬送する搬送装置としてのベルトコンベヤ２と、キャビネット１の右側に配設されかつ自転式のローラを備えて鋼板Ｗをベルトコンベヤ２に搬入する第１ローラコンベヤ３と、キャビネット１の左側に配設されかつ自転式のローラを備えて鋼板Ｗをベルトコンベヤ２から搬出する第２ローラコンベヤ４と、キャビネット１の天井壁に装着されてベルトコンベヤ２上の鋼板Ｗに向けてショットを投射する遠心投射式のショット投射装置５と、ショット投射装置５にショットを供給するとともに投射されたショットをキャビネット１から回収してショットを循環させるショット循環装置６と、で構成してある。
【００１２】
そして、ベルトコンベヤ２および第２ローラコンベヤ４は、鋼板Ｗを水平面に対して所要角度傾斜させた状態で搬送して投射されたショットが上面から滑降可能なように、搬送面が水平面に対して２０〜６０度の角度で傾斜している。
【００１３】
また、図２に示すように、キャビネット１の左・右側壁の外面には、鋼板搬出口および鋼板搬入口からのショットの飛散を防止するゴム暖簾式のシール機構１４・１５がそれぞれ装着してある。
【００１４】
また、ショット循環装置６は、図１および図２に示すように、キャビネット１の下端部に装着されたシュート７と、シュート７の排出口がその供給口に連通して立設されたバケットエレベータ８と、バケットエレベータ８の搬出口に連通して装着されてショットと不純物とを分離するセパレータ９と、セパレータ９のショット排出口に装着されてショットを一時貯留するホッパ１０と、ホッパ１０のショットをゲート１１を介在させてショット投射装置５に導入する複数の導入管１２と、バケットエレベータ８とセパレータ９に連接されて装置内で発生した粉塵を回収する集塵機１３と、で構成してある。
【００１５】
このように構成したものは、第１・第２ローラコンベヤ３・４、ベルトコンベヤ２、ショット投射装置５およびショット循環装置６を稼動した状態で、ショットブラストすべき鋼板Ｗを第１ローラコンベヤ３上に載せると、鋼板Ｗは、順次第１ローラコンベヤ３、ベルトコンベヤ２および第２ローラコンベヤ４によって搬送される。そして、鋼板Ｗは、ベルトコンベヤ２上でショット投射装置５から投射されるショットを受けてショットブラストされる一方、その上面に載ったショットは、鋼板Ｗがベルトコンベヤ２および第２ローラコンベヤ４に載ることによって傾斜しているため、鋼板Ｗ上を滑降して鋼板Ｗ上に残留することはない。
【００１６】
なお、本実施例においては、ベルトコンベヤ２は水平面に対して２０度傾斜しているが、傾斜角が小さい場合には鋼板Ｗ上にショットが残留することがあり、逆に傾斜角が大きい場合には鋼板Ｗが搬送中に浮いたり、ベルトコンベヤ２から脱落したりするため、傾斜角は２０〜６０度が最適である。
またなお、本実施例におけるベルトコンベヤ２は他の搬送装置、例えばチェーンコンベヤでも良い。
【００１７】
またなお、投射されたショットは、シュート７上に落ちて一箇所に集められた後、バケットエレベータ８により上方へと移送され、続いて、セパレータ５に投げ出され、このセパレータ５において集塵機１３によるエア流で比較的軽いもの、すなわち破砕したショットおよび製品Ｗから除去されたスケール片が集塵機１３に吸引され、正常なショットのみがホッパ１０に貯留される。ホッパ１０に貯留されたショットは、導入管１２を通じてショット投射装置５に送られて再び投射される。  
【００１８】
実施例２
【００１９】
以下、本発明を適用したショットブラスト設備の第２実施例について図４および図５に基づき詳細に説明する。本ショットブラスト設備は、図示するように、投射されるショットの飛散を防ぎかつ左・右側壁にそれぞれ鋼板搬出口および鋼板搬入口を設けたキャビネット２１と、キャビネット２１内を水平に貫通して配設されかつ自転式のローラを備えて鋼板Ｗを鋼板搬出口から鋼板搬出口に搬送するローラベルトコンベヤ２２と、キャビネット２１の天井壁および底壁にそれぞれ装着されてローラベルトコンベヤ２２上の鋼板Ｗに向けてショットを投射する遠心投射式のショット投射装置２３・２４と、ショット投射装置２３・２４にショットをそれぞれ供給するとともに投射されたショットをキャビネット２１から回収してショットを循環させるショット循環装置２５と、キャビネット２１にこれの内部に連通して装着されて鋼板Ｗ上に乗ったショットを吹き落とす圧縮空気を発生させるブロア２６と、で構成してある。
【００２０】
そして、図５に示すように、キャビネット２１の左・右側壁の各外面には、鋼板搬出口および鋼板搬入口からのショットの飛散を防止するゴム暖簾式のシール機構２７がそれぞれ装着してある。
【００２１】
また、ショット循環装置２５は、キャビネット２１の下端部に装着されたシュート２８と、シュート２８の排出口がその供給口に連通して立設されたバケットエレベータ２９と、バケットエレベータ２９の搬出口に連通して装着されてショットと不純物とを分離するセパレータ３０と、セパレータ３０のショット排出口に装着されてショットを一時貯留するホッパ３１と、ホッパ３１のショットをゲート３２・３２を介在させてショット投射装置２３・２４にそれぞれ導入する複数の導入管３３・３３と、バケットエレベータ２９とセパレータ３０に連接されてこれらの装置内で発生した粉塵を回収する集塵機３４と、で構成してある。
【００２２】
このように構成したものは、ローラベルトコンベヤ２２、ショット投射装置２３・２４、ショット循環装置２５およびブロア２６を稼動した状態で、ショットブラストすべき鋼板Ｗをローラベルトコンベヤ２２の右側部上に載せると、鋼板Ｗはローラベルトコンベヤ２２によって搬送され、その途中で、ショット投射装置２３・２４から投射されるショットを受けてショットブラストされる。そして、鋼板Ｗ上面に載ったショットは、ブロア２６からの圧縮空気によって吹き落とされて鋼板Ｗ上に残留することはない。
【００２３】
なお、投射されたショットは、シュート２８上に落ちて一箇所に集められたのち、バケットエレベータ２９により上方へと移送され、続いて、セパレータ３０に投げ出されて集塵機３４によるエア流の中を通って比較的軽いもの、すなわち破砕したショットおよび製品Ｗから除去されたスケール片は集塵機３４に吸引され、正常なショットのみがホッパ３１へと貯留される。ホッパ３１に貯留されたショットは、導入管３３を通じてショット投射装置２３・２４へと送られて再び投射される。
【００２４】
なお、上記の第１・第２実施例では、ショット投射装置５・２３・２４として遠心投射式のものを用いたが、これに限定されるものではなく、例えば、圧縮空気を用いてショットをノズルから噴射させる構造のものでも良いのはもちろんである。
【符号の説明】
【００２５】
１    キャビネット
２    ベルトコンベヤ
３    第１ローラコンベヤ
４    第２ローラコンベヤ
５    ショット投射装置
６    ショット循環装置
【図１】
2011079121.tif 000003
【図２】
2011079121.tif 000004
【図３】
2011079121.tif 000005
【図４】
2011079121.tif 000006
【図５】
2011079121.tif 000007